(57)【要約】【課題】  演出動作において表現に斬新さを与え、商品性，デザイン性を向上させることが可能な計器の駆動装置を提供する。【解決手段】  指針を表示板上で回動させて車両情報を示す計器２と、それぞれ異なる照明色で前記計器を照明する第一，第二の照明手段２ｄ，２ｅと、を備える計器の駆動装置である。所定の開始信号の入力に応じて計器２に通常の表示動作とは異なる演出動作をさせ、前記演出動作として少なくとも第一の照明手段２ｄの輝度と第二の照明手段２ｅの輝度とを異なるタイミングで徐々に変化させる制御手段１，２ａを備えてなる。前記開始信号は、電源スイッチのオンなる入力あるいはオフなる入力である。【選択図】  図１
2010025897.tif 000002
【特許請求の範囲】
【請求項１】
指針を表示板上で回動させて車両情報を示す計器と、それぞれ異なる照明色で前記計器を照明する第一，第二の照明手段と、を備える計器の駆動装置であって、
所定の開始信号の入力に応じて前記計器に通常の表示動作とは異なる演出動作をさせ、前記演出動作として少なくとも前記第一の照明手段の輝度と前記第二の照明手段の輝度とを異なるタイミングで徐々に変化させる制御手段を備えてなることを特徴とする計器の駆動装置。
【請求項２】
前記制御手段は、前記演出動作として、前記第一の照明手段の輝度を徐々に最大まで上げてその後徐々に輝度を下げ、また、前記第一の照明手段の輝度を下げる間に前記第二の照明手段の輝度を徐々に最大まで上げることを特徴とする請求項１に記載の計器の駆動装置。
【請求項３】
前記制御手段は、前記演出動作として、前記第一の照明手段の輝度あるいは前記第二の照明手段の輝度の少なくとも一方を変化させる間に前記指針を回動させることを特徴とする請求項１に記載の計器の駆動装置。
【請求項４】
前記開始信号は、電源スイッチのオンなる入力あるいはオフなる入力であることを特徴とする請求項１に記載の計器の駆動装置。
【請求項５】
前記第一，第二の照明手段は、前記指針あるいは前記表示板の少なくとも一方を照明することを特徴とする請求項１に記載の計器の駆動装置。
【請求項６】
前記開始信号の入力に応じて演出動作データをシリアルデータとして送信する前記制御手段としての第一の制御手段と、前記シリアルデータを受信し前記シリアルデータに応じて前記計器に前記演出動作をさせる前記制御手段としての第二の制御手段と、を備えてなることを特徴とする請求項１に記載の計器の駆動装置。
【発明の詳細な説明】
【技術分野】
【０００１】
本発明は、指針を表示板上で回動させて車両情報を示す計器の駆動装置に関するものである。
【背景技術】
【０００２】
車速，エンジン回転数，水温，油圧等の様々な車両に関する情報（以下、車両情報という）を表示する車両用計器としては、例えば駆動本体に指針が装着され、前記指針を表示板上で回動させることで前記車両情報を示す計測量を表示する指針表示式計器を備えるものが知られており、速度計や回転計及び燃料計がケース体に収納されたコンビネーションメータや、単一のアナログ式計器本体をケース内に収納し、前記コンビネーションメータとは別に前記車両情報を監視するいわゆるアフターメータ等がある。
【０００３】
このような車両用計器は、斬新なデザインが望まれており、車両のイグニッションスイッチ（電源スイッチ）のオンなる入力あるいはオフなる入力に応じて前記車両情報の表示とは異なる演出動作（非表示動作）を行わせるものが知られている。この演出動作としては、例えば、指針を表示板の目盛りに沿い零点位置から最高目盛位置まで回動させた後に前記零点位置に戻す動作を行わせたり、また指針と文字板とにそれぞれ専用の照明光源を備え、ＩＧＮスイッチのオン状態に応じて前記照明光源の点灯タイミングを異ならせて点灯させる、または前記照明光源の輝度を徐々に変化させるものがある。このような車両用計器としては、例えば特許文献１，２に開示されている。
【特許文献１】特開２００４−２４５７５５号公報
【特許文献２】特開２００４−３２５３２４号公報
【発明の開示】
【発明が解決しようとする課題】
【０００４】
しかしながら、前記演出動作には常に斬新さが求められており、照明手段を用いた表現方法としては更なる改良が必要であった。
【０００５】
そこで、本発明は、上述した課題に着目してなされたものであり、演出動作において表現に斬新さを与え、商品性，デザイン性を向上させることが可能な計器の駆動装置を提供することを目的とするものである。
【課題を解決するための手段】
【０００６】
本発明は、前記課題を解決するため、指針を表示板上で回動させて車両情報を示す計器と、それぞれ異なる照明色で前記計器を照明する第一，第二の照明手段と、を備える計器の駆動装置であって、所定の開始信号の入力に応じて前記計器に通常の表示動作とは異なる演出動作をさせ、前記演出動作として少なくとも前記第一の照明手段の輝度と前記第二の照明手段の輝度とを異なるタイミングで徐々に変化させる制御手段を備えてなることを特徴とする。
【０００７】
また、前記制御手段は、前記演出動作として、前記第一の照明手段の輝度を徐々に最大まで上げてその後徐々に輝度を下げ、また、前記第一の照明手段の輝度を下げる間に前記第二の照明手段の輝度を徐々に最大まで上げることを特徴とする。
【０００８】
また、前記制御手段は、前記演出動作として、前記第一の照明手段の輝度あるいは前記第二の照明手段の輝度の少なくとも一方を変化させる間に前記指針を回動させることを特徴とする。
【０００９】
また、前記開始信号は、電源スイッチのオンなる入力あるいはオフなる入力であることを特徴とする。
【００１０】
また、前記第一，第二の照明手段は、前記指針あるいは前記表示板の少なくとも一方を照明することを特徴とする。
【００１１】
また、前記開始信号の入力に応じて演出動作データをシリアルデータとして送信する前記制御手段としての第一の制御手段と、前記シリアルデータを受信し前記シリアルデータに応じて前記計器に前記演出動作をさせる前記制御手段としての第二の制御手段と、を備えてなることを特徴とする。
【発明の効果】
【００１２】
本発明は、指針を表示板上で回動させて車両情報を示す計器の駆動装置に関するものであり、演出動作において表現に斬新さを与え、商品性，デザイン性を向上させることが可能となる。
【発明を実施するための最良の形態】
【００１３】
以下、本発明を複数の車両用計器が配置されることが想定された計器の駆動装置に適用した実施形態を添付図面に基づいて説明する。図１及び図２を用いて計器の駆動装置の全体構成を説明する。計器の駆動装置は、図１に示すように、コントロールユニット（第一の制御手段）１と、アナログメータ（計器）２と、ＩＧＮ（イグニッション）検出手段３と、から主に構成されている。
【００１４】
コントロールユニット１は、マイクロコンピュータからなり、車両情報を示す各状態信号を入力するＡ／Ｄ変換部と、所定の処理動作プログラムを実行するＣＰＵと、前記処理動作プログラム等が記憶されたＲＯＭと、前記ＣＰＵにより処理されたデータ等を一時的に記憶するＲＡＭと、パラレルデータをシリアルデータに変換するパラレル・シリアル変換部（Ｐ／Ｓ変換部）と、各種の設定を不揮発的に記憶するＥＥＰＲＯＭやバックアップＲＡＭ等からなる記憶部と、前記シリアルデータを所定の周期により送信する送信部と、から構成されている。コントロールユニット１は、前記車両情報を示す前記各状態信号を入力すると、前記各状態信号に応じて所定の演算処理を行い、前記車両情報の各計測データを算出する。コントロールユニット１は、通常動作モードにおいては、計器の機種を識別するための機種コード，前記各計測データであるパラレルデータをシリアルデータに変換し、配線部材１ａを介してアナログメータ２の後述する制御手段２ａに送信する。また、コントロールユニット１は、所定の開始信号としてＩＧＮ検出手段３からのＩＧＮスイッチ７のオンなる検出信号を入力した際に、アナログメータ２に通常の前記車両情報の表示動作とは異なる初期動作（演出動作）をさせるための初期動作データ（演出動作データ）をシリアルデータとして制御手段２ａに送信する。
【００１５】
アナログメータ２は、制御手段（第二の制御手段）２ａと、駆動手段２ｂと、指針照明手段２ｃと、第一の表示板照明手段（第一の照明手段）２ｄと、第二の表示板照明手段（第二の照明手段）２ｅと、を有し、さらに車両情報の指標部２ｆが印刷形成される表示板２ｇと、指標部２ｆを指示する指針２ｈと、を有するアナログ式の車両用計器である。なお、図２にて示されるアナログメータ２の外観は吸気圧計（ターボ計）を示している。
【００１６】
制御手段２ａは、マイクロコンピュータからなり、コントロールユニット１によって送信される前記シリアルデータを受信し前記シリアルデータに基づいて駆動手段２ｂ，指針照明手段２ｃ，第一の表示板照明手段２ｄ及び第二の表示板照明手段２ｅを制御するものである。なお、制御手段２ａは、配線部材１ｂを介して他の計器と接続可能な接続部を備え、複数の車両用計器を互いに接続して前記シリアルデータで通信可能となっている。また、制御手段２ａは、前記シリアルデータとして受信した前記初期動作データに応じて駆動手段２ｂ，指針照明手段２ｃ，第一の表示板照明手段２ｄ及び第二の表示板照明手段２ｅを制御し、前記初期動作を行う後で詳述する初期動作機能を有している。
【００１７】
駆動手段２ｂは、ステップ角動作をなすステッピングモータからなり、回転軸（図示しない）を介して指針２ｈを駆動させ指標部２ｆを指示させるものである。利用者は、指針２ｈと指標部２ｆとの対比判読で車両情報の計測量の変化を知ることができる。
【００１８】
指針照明手段２ｃは、例えばＬＥＤ等の発光素子からなり、その照明光によって指針２ｈの指示部を光輝させるものである。
【００１９】
第一，第二の表示板照明手段２ｄ，２ｅは、それぞれ発光色の異なる照明光で表示板２ｇを照明するものであり、これら照明光によって指標部２ｆが透過照明される。利用者は、操作スイッチの操作によって第一，第二の表示板照明手段２ｄ，２ｅの点灯／消灯を切り換え、通常動作において２種の発光色を選択することが可能となっている。なお、本実施形態においては、第一の表示板照明手段２ｄは赤色の照明光を発し、第二の表示板照明手段２ｅは青色の照明光を発するものとする。
【００２０】
ＩＧＮ検出手段３は、車両のＩＧＮスイッチ４のオフ状態からオン状態への移行及びオン状態からオフ状態への移行を検出するもので、ＩＧＮスイッチ４のオン状態あるいはオフ状態を検出すると、コントロールユニット１へそれぞれ検出信号を出力する。なお、ＩＧＮスイッチ４のオン状態とは、ＩＧＮスイッチ４のオフ状態からアクセサリー電源のオン状態への移行、ＩＧＮスイッチ４のオフ状態からエンジンスタートのオン状態への移行、あるいはアクセサリー電源のオン状態からエンジンスタートのオン状態への移行のいずれの状態であってもよい。なお、ＩＧＮスイッチ４は、一端が車両のバッテリー電源５へ、他端がＩＧＮ検出手段３へ接続されている。
【００２１】
以上の各部によって計器の駆動装置が構成されている。
【００２２】
次に、図３を用いて計器の駆動装置におけるコントロールユニット１及び制御手段２ａの初期動作機能について説明する。なお、アナログメータ２は、指針２ｈによる指示角度が０°から２７０°であり、指針２ｈの原点位置は最小目盛位置であるものとする。
【００２３】
コントロールユニット１は、前記開始信号としてＩＧＮ検出手段３を介してＩＧＮスイッチ４のオン状態（オンなる入力）を検出すると前記初期動作データを前記シリアルデータとして送信し、制御手段２ａは、受信した前記初期動作データに応じて駆動手段２ｂ，指針照明手段２ｃ，第一の表示板照明手段２ｄ及び第二の表示板照明手段２ｅに前記初期動作を実行させるべくそれぞれ駆動信号を出力する。
【００２４】
図３は、前記初期動作における駆動手段２ｂ，指針照明手段２ｃ，第一の表示板照明手段２ｃ及び第二の表示板照明手段２ｄの制御方法を示すタイミングチャート図である。前記初期動作において、制御手段２ａは、駆動手段２ｂに駆動信号を出力し、駆動手段２ｂに装着されている指針２ｈを最小目盛位置（指示角度０°）から指標部２ｆにおける最大目盛方向に向けて回動を開始する。また、制御手段２ａは、指針２ｈの最大目盛方向への回動開始と同時に指針２ｈを照明する指針照明手段２ｃを最大輝度（輝度１００％）にて点灯させる。また、制御手段２ａは、指針２ｈの最大目盛方向への回動開始と同時に、表示板２ｇを照明する第一の表示板照明手段２ｄを消灯状態（輝度０％）から徐々に最大輝度（輝度１００％）に変化するように点灯制御する。そして、制御手段２ａは、第一の表示板照明手段２ｄが最大輝度となってから時間Ｔ１経過後に、第一の表示板照明手段２ｄを最大輝度から徐々に消灯状態に変化するように点灯制御する。次に、制御手段２ａは、第一の表示板照明手段２ｄの消灯状態への輝度変化の開始と同時に、第二の表示板照明手段２ｅを消灯状態から徐々に最大輝度に変化するように点灯制御する。次に、制御手段２ａは、最大目盛位置（指示角度２７０°）に指針２ｈを到着させた後、指針２ｈを指標部２ｆにおける最小目盛り方向に回動させる。なお、制御手段２ａは、指針２ｈが前記最大目盛位置に到着した時に、第一の表示板照明手段２ｄが消灯状態となり第二の表示板照明手段２ｅが最大輝度となるように点灯制御を実行する。そして、制御手段２ａは、前記最小目盛位置に指針２ｈが到達するように駆動手段２ｂを制御するとともに、指針２ｈの前記最小目盛位置への到達を待って指針照明手段２ｃ及び第二の表示板照明手段２ｅをそれぞれ消灯させ、前記初期動作を終了させて通常の前記車両情報の表示動作に移行する。なお、前記車両情報の表示動作においては、第一，第二の表示板照明手段２ｄ，２ｅのうち照明色の選択がされたものを点灯させる。
【００２５】
以上の処理をコントロールユニット１及び制御手段２ａによって実行することで、計器の駆動装置は、前記初期動作において第一の表示板照明手段２ｄと第二の表示板照明手段２ｅとを異なるタイミングで徐々に輝度変化させ、表示板２ｇの照明色を滑らかに変化させる新規な演出動作を行うことができる。かかる演出動作は、赤色の指標部２ｆと青色の指標部２ｆとが交互に浮かび上がるように視認されるものであり、単なる輝度変化や照明色の瞬間的な切り換えとは異なる斬新な照明表現である。この照明色の変化は、第一の表示板照明手段２ｄの輝度を徐々に最大まで上げてその後徐々に輝度を下げ、また、第一の表示板照明手段２ｄの輝度を下げる間に第二の表示板照明手段２ｅの輝度を徐々に最大まで上げることでより鮮明に表現可能である。また、第一，第二の表示板照明手段２ｄ，２ｅの輝度変化に連動して所定範囲内で指針２ｈを回動させることで前記初期動作の見栄えをさらに向上させることができる。
【００２６】
なお、本実施形態における演出動作に関しては、ＩＧＮスイッチ４のオフなる入力を開始信号とする終了動作を行うものであってもよい。図４は、前記終了動作における駆動手段２ｂ，指針照明手段２ｃ，第一の表示板照明手段２ｄ及び第二の表示板照明手段２ｅの制御方法の一例を示すタイミングチャート図である。なお、図４においては、通常の表示動作時における表示板２ｇの照明色として第一の表示板照明手段２ｄによる赤色照明が選択されているものとする。
【００２７】
コントロールユニット１は、前記開始信号としてＩＧＮ検出手段３を介してＩＧＮスイッチ４のオフ状態（オフなる入力）を検出すると前記終了動作を行うための終了動作データを前記シリアルデータとして送信し、制御手段２ａは、受信した前記終了動作データに応じて駆動手段２ｂ，指針照明手段２ｃ，第一の表示板照明手段２ｄ及び第二の表示板照明手段２ｅに前記終了動作を実行させるべくそれぞれ駆動信号を出力する。
【００２８】
図４に示すように、前記終了動作において、制御手段２ａは、アナログメータ２の駆動手段２ｂに駆動信号を出力し、指針２ｈを前記車両情報の表示する現在の指示位置から指標部２ｆにおける最小目盛方向に向けて回動を開始する。また、制御手段２ａは、指針２ｈの最小目盛方向への回動開始と同時に、指針２ｈを照明する指針照明手段２ｃを最大輝度にて点灯させる。また、制御手段２ａは、指針２ｈの最小目盛方向への回動開始と同時に、表示板２ｇを照明する第一の表示板照明手段２ｄを徐々に最大輝度に変化するように点灯制御する。そして、制御手段２ａは、第一の表示板照明手段２ｄが最大輝度となってから時間Ｔ２経過後に、第一の表示板照明手段２ｄを最大輝度から徐々に消灯状態に変化するように点灯制御する。次に、制御手段２ａは、第一の表示板照明手段２ｄの消灯状態への輝度変化の開始と同時に、第二の表示板照明手段２ｅを消灯状態から徐々に最大輝度に変化するように点灯制御する。なお、制御手段２ａは、指針２ｈが前記最小目盛位置に到着した時に、第一の表示板照明手段２ｄが消灯状態となり第二の表示板照明手段２ｅが最大輝度となるように点灯制御を実行する。そして、制御手段２ａは、前記最小目盛位置に指針２ｈが到達するように駆動手段２ｂを制御するとともに、指針２ｈの前記最小目盛位置への到達と同時に指針照明手段２ｃを消灯させ、その後第二の表示板照明手段２ｅを時差消灯させて前記終了動作を終了させてアナログメータ２の駆動を停止させる。
【００２９】
以上の処理をコントロールユニット１及び制御手段２ａによって実行することで、車両用計器１は、前記終了動作においても第一の表示板照明手段２ｄと第二の表示板照明手段２ｅとを異なるタイミングで徐々に輝度変化させ、表示板２ｇの照明色を滑らかに変化させる新規な演出動作を行うことができる。
【００３０】
なお、本発明は前述の実施形態に限定されるものではなく、例えば展示用に所定範囲内で回動動作を行うデモ動作についても本発明を適用することが可能である。
【００３１】
また、本実施形態においては第一，第二の照明手段として表示板２ｇを照明する第一，第二の表示板照明手段２ｄ，２ｅを異なるタイミングで輝度変化させるものであったが、本発明は、第一，第二の照明手段として指針２ｈを照明する第一，第二の指針照明手段を備え、照明色の異なる前記第一，第二の指針照明手段を異なるタイミングで輝度変化させて照明色を徐々に変化させるものであってもよい。また、本発明における第一，第二の照明手段は、本実施形態のように単色の照明色を示すものであってよいし、それぞれ複数の照明色で計器を照明するものであってもよい。
【００３２】
また、本発明の演出動作は本実施形態に限定されるものではなく、所定の順序での時差点灯あるいは時差消灯を組み合わせるものであってもよい。
【図面の簡単な説明】
【００３３】
【図１】本発明の実施形態である計器の駆動装置のアナログメータを示す図。
【図２】同上計器の駆動装置の電気的構成を示す図。
【図３】同上計器の駆動装置の制御手段の処理方法を示す図。
【図４】同上計器の駆動装置の制御手段の処理方法を示す図。
【符号の説明】
【００３４】
１    コントロールユニット（第一の制御手段）
２    アナログメータ（計器）
２ａ  制御手段（第二の制御手段）
２ｂ  駆動手段
２ｃ  指針照明手段
２ｄ  第一の表示板照明手段（第一の照明手段）
２ｅ  第二の表示板照明手段（第二の照明手段）
２ｆ  指標部
２ｇ  表示板
２ｈ  指針
３    ＩＧＮ検出手段
【図１】
2010025897.tif 000003
【図２】
2010025897.tif 000004
【図３】
2010025897.tif 000005
【図４】
2010025897.tif 000006